(57)【特許請求の範囲】
【請求項１】
一端側に流入口を、他端側に流出口を有する沈砂池の底面に、その流入口と流出口とを結ぶ方向に延在し、集砂ピットを有するトラフを設けるとともに、前記沈砂池の底面に堆積した砂を前記トラフに向けて流すための圧力流体を噴出する第一のノズルと、そのトラフに集められた砂を前記集砂ピットに向けて流すための圧力流体を噴出する第二のノズルとを設け、その集砂ピットに集められた砂を水位計に基づいて間欠運転される揚砂手段により移送するようにした揚砂装置において、
前記第一のノズル及び第二のノズルに、それぞれの噴出量の合計が前記揚砂手段の移送量よりも多くなるものを用い、前記第一のノズル及び第二のノズルから噴出により前記沈砂池の水位が所定水位を超えたときは、前記所定水位以下になるように前記第一のノズル及び第二のノズルのそれぞれの噴出量の合計を減量する方向に調整する噴出量調整手段を備えたことを特徴とする揚砂装置。
【請求項２】
前記所定水位を、沈砂池を排水（ドライ）状態に復帰・維持させるための水位に設定したことを特徴とする請求項１に記載の揚砂装置。
【請求項３】
噴出量調整手段は、沈砂池の水位を計測する水位計、その水位計の計測値に応じて第一のノズル及び第二のノズルの弁を開閉制御する自動弁制御器からなることを特徴とする請求項１又は２に記載の揚砂装置。
【請求項４】
噴出量調整手段は、第一のノズル及び第二のノズルのそれぞれの噴出量の合計と沈砂池の容積とに基づいて演算して開時間を設定されるタイマーからなることを特徴とする請求項１又は２に記載の揚砂装置。
【請求項５】
噴出量調整手段は、第一のノズル及び第二のノズルのそれぞれの噴出量の合計と揚砂手段の移送量とを計量し、両計量値を比較演算して噴出量調整信号を出力するものであることを特徴とする請求項１又は２に記載の揚砂装置。
【請求項６】
沈砂池の底面をトラフの長手方向に複数の領域に分割し、第一のノズルを領域毎に設置し、第一のノズルと第二のノズルとを交互に駆動させる駆動制御手段を付加したことを特徴とする請求項１，２，３，４又は５に記載の揚砂装置。
【請求項７】
第一のノズルを、前記集砂ピットに近い領域のものから遠い領域のものの順に駆動させる駆動制御手段を付加したことを特徴とする請求項６に記載の揚砂装置。
【発明の詳細な説明】
【０００１】
【発明の属する技術分野】
本発明は、下水処理施設の雨水沈砂池等の沈砂池に設けられる揚砂装置に関する。
【０００２】
【従来の技術】
従来、例えば、下水処理施設の雨水沈砂池においては、沈砂池の幅方向（水流方向に対して直角方向）の中央に水流方向に延びるトラフを設け、そのトラフの左右両側の底面をトラフが最も低くなるように傾斜させるとともに、その傾斜面にトラフ方向に伸びる小トラフを所定の間隔をもって設け、前記トラフも水流方向の中央が最も低くなるように傾斜させ、その中央の最も低い部分に集砂ピットを形成して、その集砂ピットにジェットポンプや揚砂ポンプ等からなる揚砂手段を設けている。
【０００３】
各小トラフ間には、底面に堆積している砂をトラフに向けて流すための圧力水を噴出させるノズルが設けられ、また、トラフには、トラフ内の砂を集砂ピットに向けて流して集めるための圧力水を噴出させるノズルが設けられている。
【０００４】
したがって、小トラフ間に設けられているノズル及びトラフに設けられているノズルから圧力水を同時に噴出させると、沈砂池の底面に堆積していた砂は、集砂ピット内に集められる。そして、この集砂ピット内の砂は、揚砂手段、すなわち、ジェットポンプ又は揚砂ポンプにより所定の場所へ移送される。なお、沈砂池を排水（ドライ）状態に保って悪臭防止等を図るため、上記ノズルからの圧力水の総噴出量は、揚砂手段の総排出量よりも常に少なく設定されている。
【０００５】
【発明が解決しようとする課題】
しかしながら、上記従来の揚砂装置は、沈砂池の底面に堆積している砂を集砂ピットに集めるために、小トラフ間に設けられているノズルとトラフに設けられているノズルとを同時に噴出させるので、圧力水の総供給量が多くなり、このため、その圧力水を供給するポンプ容量も大きいものを必要とする欠点があった。また、集砂ピット内に流入する水の量も多くなるので、ジェットポンプ又は揚砂ポンプ等の揚砂手段の容量も大型化しなければならず、その後の砂分離装置等の後処理装置も大型化するという不都合があった。さらに、圧力水の総供給量が少ないと、集砂ピット手前に砂がたまり、堰のようになって集砂効率を低下させるという不都合があった。加えて、豪雨時等に多量の土砂の流入があって、沈砂池の底面に多量の沈砂が堆積した場合でも、ノズルからの圧力水の総噴出量は、ドライ（排水）状態を実現するためジェットポンプ又は揚砂ポンプの総排出量より常に少なく抑えられているので、堆積した沈砂をトラフ内に導けず、また、トラフ内まで導けたとしても集砂ピット内までは導けないおそれがあった。
【０００６】
そこで、本発明は、上記欠点を解決するためになされたものであって、その目的は、集砂効率を向上させた揚砂装置を提供することにある。
【０００７】
【課題を解決するための手段】
本発明は、上記目的を達成するために、一端側に流入口を、他端側に流出口を有する沈砂池の底面に、その流入口と流出口とを結ぶ方向に延在し、集砂ピットを有するトラフを設けるとともに、前記沈砂池の底面に堆積した砂を前記トラフに向けて流すための圧力流体を噴出する第一のノズルと、そのトラフに集められた砂を前記集砂ピットに向けて流すための圧力流体を噴出する第二のノズルとを設け、その集砂ピットに集められた砂を水位計に基づいて間欠運転される揚砂手段により移送するようにした揚砂装置において、第一のノズル及び第二のノズルに、それぞれの噴出量の合計が前記揚砂手段の移送量よりも多くなるものを用い、第一のノズル及び第二のノズルからの噴出により前記沈砂池の水位が所定水位を超えたときは、前記所定水位以下になるように前記第一のノズル及び第二のノズルの噴出量の合計を減量する方向に調整する噴出量調整手段を備えたことを特徴としている。
圧力流体としては、圧力水が上げられる。揚砂手段としては、ジェットポンプ、揚砂ポンプ、あるいはクレーンのような機械的掻き揚げ設備も含まれる。
【０００８】
本発明の好ましい例では、前記所定水位が沈砂池を排水（ドライ）状態に復帰・維持させるための水位に設定されている。本発明の好ましい他の例では、噴出量調整手段は、沈砂池の水位を計測する水位計、その水位計の計測値に応じて第一のノズル及び第二のノズルの弁を開閉制御する自動弁制御器からなることを特徴としている。また、噴出量調整手段は、第一のノズル及び第二のノズルのそれぞれの噴出量の合計と沈砂池の容積とに基づいて演算して開時間を設定されるタイマーからなることを特徴としている。さらに、噴出量調整手段は、第一のノズル及び第二のノズルのそれぞれの噴出量の合計と揚砂手段の移送量とを計量し、両計量値を比較演算して噴出量調整信号を出力するものであることを特徴としている。
そして、本発明は、上記目的を達成するため、沈砂池の底面をトラフの長手方向に複数の領域に分割し、第一のノズルを領域毎に設置し、第一のノズルと第二のノズルとを交互に駆動させる駆動制御手段を付加したことを特徴としている。
加えて、本発明は、上記目的を達成するため、第一のノズルを、前記集砂ピットに近い領域のものから遠い領域のものの順に駆動させる駆動制御手段を付加したことを特徴としている。ここで、第一のノズルを集砂ピットに近い領域のものから遠い領域のものの順に駆動させる駆動制御手段には、複数のノズル毎に区分したノズル群単位で集砂ピットに近いノズルから順に駆動させる駆動制御手段、あるいは、上記ノズル群とノズルの組合せでピットに近いものから順に駆動させる駆動制御手段が含まれる。
【０００９】
ここで、沈砂池の底面に堆積した砂をその集砂ピットに向けて流出させるように圧力流体を噴出させるとは、集砂ピットに連なるトラフを設け、底面に堆積した砂を流し込むようにそのトラフに向けて水等の圧力流体を噴出し、トラフを介して集砂ピットに砂を流出させるものや、直接、集砂ピットに向けて水等の圧力流体を噴出するもの等をいう。また、所定水位以下になるように第一のノズル及び第二のノズルの圧力流体の噴出量の合計を減量する方向に調整するとは、ノズルから全く噴出させないことも含む。さらに、移送量とは、複数の揚砂手段から移送される場合には、その総移送量である。
【００１０】
【発明の実施の形態】
以下、本発明の実施の形態を図面に基づいて説明する。図１は、本発明の揚砂装置を下水処理施設の雨水沈砂池（以下、「沈砂池」という）に適用したもので、図１はその断面図、図２はその一部平面図、図３は、図２のイ−イ線断面図であり、図１は、図２のローロ線断面図に相当している。また、図４は、沈砂池のノズル群の配置を中心とした全体の平面図であり、図５（ａ），（ｂ）は、ノズル群等の駆動状態を示すタイムチャートである。
【００１１】
沈砂池１は、上記従来の沈砂池と同様に、沈砂池１の一方側から雨水が流入し、砂を沈降分離した雨水は沈砂池１の他方側から流出されるように構成されている。図２の平面図を用いて説明すると、図２の上方側から雨水が流入したとすると、砂を沈降分離した雨水は、図２の下方側から流出することとなる。また、図４の平面図を用いてさらに説明すると、図４の左側（又は右側）から雨水が流入したとすると、砂を沈降分離した雨水は、図４の右側（又は左側）から流出することとなる。
【００１２】
図１に戻って、沈砂池１の底面１ａの形態は、沈砂池の幅方向（水流方向に対して直角方向）の中央に水流方向に延びるトラフ３を設け、図１に示されるように、そのトラフの左右両側の底面をトラフ３が最も低くなるように傾斜させ、そのトラフの長手方向のほぼ中央位置に設けられたその底面１ａより一段と低い平らな底を有する集砂ピット２に、底面１ａ上の砂（図示せず）を寄せ集めることができるように形成されている。また、図３に示されるように、トラフ３は集砂ピット２の部分が最も低くなるように水流方向の前後に傾斜されている。したがって、すりばち状の底面１ａ上の砂は、後述するノズルから水を流出させると、図２に矢印で示されるように、集砂ピット２に寄せ集められてくる。
【００１３】
揚砂ポンプ１０は、渦巻羽根を有する周知の水中ポンプからなり、下水処理施設で水中汚泥ポンプとして使用されていたものを用いることができる。この揚砂ポンプ１０は、吸引口１１を下向きに、すなわち、吸引口１１が集砂ピット２の底面に向けて、かつ、その底面から所定間隔を保って、吐出管１２及びサポート１３を介して沈砂池１に設けられている。そして、揚砂ポンプ１０は、集砂ピット２内に設けられた不図示の水位計によって、水位が運転水位まで上昇したことを検知すれば起動し、停止水位まで揚水が済めば停止するように制御される。
【００１４】
図４は、沈砂池１の底面１ａに配設されたノズルを示したもので、沈砂池１の水流方向の左右両側には、１本のヘッダ管に複数のノズルｎ，ｎ…を接続して構成されたノズル群が複数群Ｈ1 〜Ｈ8 設けられている。このように、沈砂池の底面は、その大きさによって適宜数の領域に分割され、後述するように各領域に設置されたノズル群単位で集砂が行われる。各ヘッダ管に設けられるノズルｎ，ｎ…は、互いに所定の間隔を保って設けられているとともに、各ノズルｎ，ｎ…の噴射の向きは、トラフ３の長手方向に対して直交する方向に設けられている。複数のノズルｎ，ｎ…により構成されたノズル群は、本発明の請求項１の第一のノズルに相当している。
【００１５】
なお、この図４及び上記図１〜図３では、図面を簡略化するために省略されているが、図４における各ノズルｎ，ｎ…間の底面１ａには、トラフ３に連通する多数の小トラフが設けられている。このような小トラフが底面１ａに設けられていると、ノズルｎから圧力水が噴出されたときに、その小トラフを介して底面１ａ上の砂をトラフ３内に効率よく流し込むことができる特長がある。
【００１６】
図４中、Ｎ1 及びＮ2 はノズルであって、トラフ３の両端側、すなわち、集砂ピット２と反対側にそれぞれ設けられていて、ノズルＮ1 ，Ｎ2 から圧力水が噴出されたときに、トラフ３内の砂を集砂ピット２に向けて流すことができるように構成されている。なお、このノズルＮ1 及びノズルＮ2 は、本発明の請求項１の第二のノズルに相当するが、図示のように必ずしもトラフ３内に設ける必要はなく、トラフ３の両端側の沈砂池１の側面壁に設けてもよい。
【００１７】
図４中、Ｎ3 ，Ｎ4 も上記ノズルＮ1 ，Ｎ2 と同様のノズルであって、集砂ピット２の位置する沈砂池１の水流方向に直角な方向の両側の壁（図４（ａ）では上，下の壁）側に設けられている。そして、これらノズルＮ3 ，Ｎ4 から圧力水が噴出されたときに、集砂ピット２の両側に位置する砂を集砂ピット２に寄せ集めることができるように構成されている。
【００１８】
図４では省略されているが、１本のヘッダ管に複数のノズルを接続して構成される各ノズル群Ｈ1 〜Ｈ8 及びノズルＮ1 〜Ｎ4 には、図示しないポンプを介して沈砂池１や不図示のポンプ井の水が供給できるように構成されているとともに、後述される制御器により駆動制御される図示しない自動弁を介して各ノズル群Ｈ1 〜Ｈ8 及びノズルＮ1 〜Ｎ4 に任意に水を供給できるように構成されている。
【００１９】
次に、図５（ａ）のタイムチャートを用いて揚砂ポンプ１０、第一ノズルであるノズル群Ｈ1 〜Ｈ8 及び第二ノズルであるノズルＮ1 ，Ｎ2、Ｎ3 ，Ｎ4 の制御動作につ いて説明する。なお、図示しないが、揚砂ポンプ１０、ノズルＮ1 〜Ｎ4 及びノズル群Ｈ1 〜Ｈ8 へ圧力水を供給するためのポンプや自動弁は、沈砂池１を統括的に制御するプログラマブルコントローラを中心に構成される図示しない制御器によって駆動制御されるようになっている。
【００２０】
今、沈砂池１への雨水の流入が不図示のゲートやエアダムで停止され、沈砂池１の底面に沈降堆積した砂を排出する工程が到来したとする。この到来により、揚砂ポンプ１０が駆動される。
【００２１】
なお、本出願人が別途提案している揚砂ポンプ１０の吸引口１１の下方に圧力水を噴出するノズルからなる撹乱手段が設けられているときは、揚砂ポンプ１０の運転開始前の所定時間、例えば１分間、吸引口１１の周囲の砂が圧力水により撹乱されて砂の吸引を良好に保つことができ、この撹乱は、揚砂ポンプ１０駆動後も一定時間続けられる。
【００２２】
各ノズル群Ｈ1 〜Ｈ8 及びノズルＮ1 ，Ｎ2 からは、図５（ａ）に示される順序で、所定時間、圧力水の噴出が行われる。この図５（ａ）において、「Ｎ1 」は、ノズルＮ1 から圧力水が噴出していることを表わし、「Ｈ3 」は、ヘッダ管に圧力水が供給されて、そのヘッダ管に設けられているノズルｎ，ｎ…から圧力水がトラフ３に向けて噴射されていることを表わし、「→」は、工程が切替わったことを表わしている。Ｎ2 及びＨ1 ，Ｈ2 ，Ｈ4 〜Ｈ8 も同様である。また、揚砂ポンプ１０の点線は、不図示の水位計に従って、間欠運転を行っていることを表している。
【００２３】
図４において左側（ノズルＮ1 側）を雨水の流入口（以下、単に流入口という。）とし、右側（ノズルＮ2 側）を雨水の流出口（以下、単に流出口という。）とすると、沈砂池１の底面が集砂ピットよりも流入口側及び流出口側がそれぞれ４つの領域に分割されている場合において、図５（ａ）のタイムチャートでは、流入口側の領域のうち、集砂ピットに最も近い領域のノズル群から駆動を開始させ、その領域での噴射を終了した後、流入口側の領域のうち、流入口最近傍の領域のノズル群を駆動させたら、次に流出口側の領域のうち、集砂ピットに最も近い領域のノズル群を駆動させた後、流出口側の領域のうち、流出口最近傍の領域のノズル群を駆動させる（Ｎ1 →Ｈ3 →Ｎ1 →Ｈ4 →Ｎ1 →Ｈ1 →Ｎ1 →Ｈ2 →Ｎ1 →Ｎ2 →Ｈ5 →Ｎ2 →Ｈ6 →Ｎ2 →Ｈ7 →Ｎ2 →Ｈ8 →Ｎ2 ）。
【００２４】
この工程は、集砂ピットを基準にして考えた場合、流入口側の方が、流出口側より沈砂の堆積量が多いことから、まず、堆積量の多い片側を最初に集砂してしまう一例である。他の実施の形態として両側を交互に集砂ピットに近いノズル群から順に駆動させてもよいし（Ｎ1 →Ｈ3 →Ｎ1 →Ｎ2 →Ｈ5 →Ｎ2 →Ｈ4 →Ｎ1 →Ｈ6 →Ｎ2 →Ｈ1 →Ｎ1 →Ｈ7 →Ｎ2 →Ｈ2 →Ｎ1 →Ｈ8 →Ｎ2 ）、対向した一対のノズル群単位で駆動させてもよい（Ｎ1 →Ｈ3 →Ｎ1 →Ｈ4 →Ｎ1 →Ｎ2 →Ｈ5 →Ｎ2 →Ｈ6 →Ｎ2 →Ｈ1 →Ｎ1 →Ｈ2 →Ｎ1 →Ｈ7 →Ｎ2 →Ｈ8 →Ｎ2 ）。さらに、図５（ａ）のタイムチャートの実施の形態とは逆の流出口側から最初に集砂することも可能である（Ｎ2 →Ｈ5 →Ｎ2 →Ｈ6 →Ｎ2 →Ｈ7 →Ｎ2 →Ｈ8 →Ｎ2 →Ｎ1 →Ｈ3 →Ｎ1 →Ｈ4 →Ｎ1 →Ｈ1 →Ｎ1 →Ｈ2 →Ｎ1 ）。
【００２５】
以上の実施の形態は、沈砂池の池幅方向（トラフ３と直交する方向）に対向した一対のノズル群、すなわち図４でいう上側のノズル群と下側のノズル群（Ｈ1 とＨ2 、Ｈ3 とＨ4 、Ｈ5 とＨ6 、Ｈ7 とＨ8 ）のうち上側のノズル群（Ｈ1 、Ｈ3 、Ｈ5 、Ｈ7 ）を下側のノズル群（Ｈ2 、Ｈ4 、Ｈ6 、Ｈ8 ）より優先させて先に駆動させたが、この逆としても何ら支障はない。また、沈砂池の底面積が小さい等で圧力水量、揚砂ポンプ能力に余裕があれば、流入口側と流出口側を同時に集砂することも可能である（例えば、Ｎ1 →Ｈ3 →Ｎ1 →Ｈ4 →Ｎ1 →Ｈ1 →Ｎ1 →Ｈ2 →Ｎ1 とＮ2 →Ｈ5 →Ｎ2 →Ｈ6 →Ｎ2 →Ｈ7 →Ｎ2 →Ｈ8 →Ｎ2 を別個独立して同時に集砂）。また、この図５（ａ）のタイムチャートでは、各ノズル群Ｈ1 〜Ｈ8 の駆動は、１回限りであるが、数回繰返してもよい。
【００２６】
以上のごとく、第一のノズル（Ｈ1 〜Ｈ8 のノズルｎ）と第二のノズル（Ｎ1 ，Ｎ2 ）を交互に駆動させることによって、従来と同量の圧力水量でも、トラフ３の詰まりを完全に解消でき、砂の移動も確実に行える。また、ノズル（Ｈ1 〜Ｈ8 のノズルｎ）を集砂ピットに近いほうから順に駆動させることによって、どの位置に沈降した沈砂でも集砂されるときに必ず通る集砂ピット２手前は、一番最初に集砂されるため、以後の沈砂の移動を阻害しない。さらに、複数回繰返して集砂する場合には、集砂ピット２に次いで低い、前回の取り残しが溜まっている恐れがある集砂ピット２の手前が一番最初に集砂されるため、以後の沈砂の移動を阻害しない。
【００２７】
なお、流入口側、流出口側のそれぞれにおいて、最初のノズル群、すなわち集砂ピットに近いノズル群（流入口側であればＨ3 ，Ｈ4 のいずれか一方又は一対、流出口側であればＨ5 ，Ｈ6 のいずれか一方又は一対）が駆動する前に、トラフ３の両端側に設けられた集砂ピットに一番遠いノズルに相当するノズルＮ1 ，Ｎ2 でトラフ３の洗浄が行われる。これは、トラフ３が集砂ピットにつながる最終的かつ主なトラフであることから、沈砂排出工程の開始当初に沈砂によるトラフ３の埋没を防ぐための最良策であって、２回目以降においては、必ずしも必要ではない。一方、ノズルＮ3 ，Ｎ4 はノズルＮ1 ，Ｎ2 及びノズル群Ｈ1 〜Ｈ8 の駆動終了後に駆動される。これは、集砂ピット２周囲の池幅方向に堆積した砂を洗い流すためである。
【００２８】
また、豪雨時等に多量の土砂の流入がなされ、沈砂池の底面に多量の沈砂が堆積した場合には、ノズルからの圧力水の噴出量を揚砂ポンプの排出量（移送量）より常に少なく抑えていた制御を解き、揚砂ポンプの排出量に関係なく、効率よく確実に集砂できる噴出量でノズルから圧力水を噴出させる。すなわち、ノズルには、それぞれの噴出量の合計を揚砂手段の移送量よりも多くすることが可能なものを用いる。しかしながら、ノズルの噴出量を常に揚砂手段の移送量よりも多くしておくと、沈砂池内に水が蓄積し、水中下における集砂となってしまう。水中下における集砂は、揚砂ポンプによる揚水の移送量が増加し不経済であるばかりか、水圧に打ち勝って沈砂を移動させなければならず、ノズルからの圧力水を高圧で噴出させる必要が生じる。高圧集砂は、高圧力を生むためにランニングコストがかかるばかりか、構成機器も多くなる。また、高圧水による下水ミストの発生も衛生的にみて大きな問題であり、水中下に沈砂の一部が舞い上がって浮遊し、その後に再度沈降して堆積するため集砂効率も低下する欠点がある。
【００２９】
そこで、これらの問題点を解決するため、排水（ドライ）状態における集砂、さらには、ノズルからの圧力水を低圧で噴出させることが望まれる。なお、本発明でいうドライ（排水）状態とは、揚砂ポンプ１０の高負荷や高圧での集砂が必要とならない範囲で、若干の雨水の滞留は許される状態をいう。本実施の形態においては、ノズルの噴出量を揚砂手段の移送量よりも多くしても、ノズルを間欠駆動させることによってノズルの噴出量を調整する。すなわち、沈砂池の水位が所定水位を超えたらノズルの駆動を停止させ、連続駆動している揚砂ポンプによって沈砂とともに水を沈砂池外へと移送させる。そして、沈砂池の水位が所定水位以下となったら、ノズルの駆動を再開させる。
【００３０】
ここで、ノズルを停止させるタイミング取りには、集砂ピットまたはトラフ３内、より具体的にはトラフ３の集砂ピット２への開口端部の底部レベルに水位計を設けて水位を監視してもよいが、ノズルの噴出量と沈砂池の容積から算出してタイマー設定とすることで、図５（ａ）と同じ要領で作成された図５（ｂ）のようなタイムチャートによって、図４に示した沈砂池１の揚砂装置を駆動制御することが可能となる。すなわち、揚砂ポンプ１０を駆動させ、一のノズル群から他のノズル群への移行時に全ノズルを停止させて、沈砂池を排水（ドライ）状態に復帰・維持する。このタイムチャートでは、Ｎ1 →Ｈ3 →Ｎ1 とＮ2 →Ｈ5 →Ｎ2 は他のものよりノズルからの総噴出量が多いため、揚砂ポンプ１０のみの駆動時間を他のものに比べて長くとっている。なお、上述の他の駆動制御パターン例でも良く、要は、揚砂ポンプ１０のみの駆動時間を他のノズル群への移行時に設ければ良い。
【００３１】
以上のごとく、上記実施の形態では、ノズルを完全停止させて、揚砂ポンプ１０のみの駆動時間を確保したが、本発明はこれに限らず、豪雨等による多量の土砂の流入時以外の通常の場合でも、集砂効率を上げるため揚砂手段の移送量よりもノズルから噴出量を多くしてあるので、ノズルを完全停止までしなくても、ノズルの噴出量と揚砂手段の移送量を流量計で監視して、両者の流量を比較演算し、ノズルの噴出量を調整する噴出量調整手段を設ければ、ノズルから揚砂手段の移送量よりも少ない量しか噴出させない時間帯を実現することができ、沈砂池を排水（ドライ）状態に復帰・維持させることができる。
【００３２】
上述の例では、集砂ピット２を沈砂池１の中央に設けた例を示したが、雨水の流出側に設けるようにしてもよい。例えば、図４において、雨水が左側から流入してくるとしたとき、集砂ピット２は、トラフ３の右端側に設けられる。もちろん、この場合でも、トラフ３の集砂ピット２の設けられる部分が最も低くなるように傾斜が付される。さらに、トラフ３は、沈砂池１の中央に設けたが、一方の側壁側に設けるようにしてもよい。例えば、図４において、下側のノズル群Ｈ2 ，Ｈ4 ，Ｈ6 ，Ｈ8 を省略し、この部分にトラフ３を設けるようにしてもよい。
【００３３】
また、上述の例では、揚砂手段として揚砂ポンプ１０を示したが、ジェットポンプであってもよいことはもちろんである。
【００３４】
【発明の効果】
請求項１の発明によれば、一端側に流入口を、他端側に流出口を有する沈砂池の底面に、その流入口と流出口とを結ぶ方向に延在し、集砂ピットを有するトラフを設けるとともに、沈砂池の底面に堆積した砂をトラフに向けて流すための圧力流体を噴出する第一のノズルと、そのトラフに集められた砂を集砂ピットに向けて流すための圧力流体を噴出する第二のノズルとを設け、その集砂ピットに集められた砂を水位計に基づいて間欠運転される揚砂手段により移送するようにした揚砂装置において、第一のノズル及び第二のノズルに、それぞれの噴出量の合計が揚砂手段の移送量よりも多くなるものを用いるので、豪雨時等に多量の土砂が流入して沈砂池の底面に多量の沈砂が堆積した場合でも、効率よく確実に集砂することができる。また、第一のノズル及び第二のノズルからの噴出により沈砂池の水位が所定水位を超えたときは、所定水位以下になるように第一のノズル及び第二のノズルのそれぞれの噴出量の合計を減量する方向に調整する噴出量調整手段を備えたので、ノズルの噴出量を常に揚砂手段の移送量よりも多くしておくことによる水中下における集砂を防止することができるから、集砂効率の低下を招来することもない。
【００３５】
請求項２の発明によれば、沈砂池を排水（ドライ）状態に復帰・維持させることができる。
請求項３ないし５の発明によれば、各種の噴出量調整手段を用いることができる。
【００３６】
請求項６の発明によれば、第一のノズルと第二のノズルとを交互に駆動させる駆動制御手段を付加したので、従来と同量の圧力水量でも、トラフの詰まりを完全に解消でき、砂の移動も確実に行え、集砂効率を向上させることができる。
【００３７】
請求項７の発明によれば、ノズルを集砂ピットに近い領域のものから遠い領域のものの順に駆動させる駆動制御手段を付加したので、集砂ピット手前の沈砂の滞留を解消でき、集砂効率を向上させることができる。
【図面の簡単な説明】
【図１】  本発明の一実施の形態に係る揚砂装置を下水処理施設の雨水沈砂池に適用したときの断面図である。
【図２】  図１の平面図である。
【図３】  図２のイーイ線断面図である。
【図４】  ノズル群の配置を示した平面図である。
【図５】  （ａ）は、制御動作を示すタイムチャート、（ｂ）は、他の方式の制御動作を示すタイムチャートである。
【符号の説明】
１  雨水沈砂池（沈砂池）
２  集砂ピット
１０  揚砂ポンプ
１１  吸引口
１２  吐出管
Ｎ1 〜Ｎ4   ノズル
Ｈ1 〜Ｈ8   ノズル群
ｎ  ノズル
【図１】
0004380842.tif 000002
【図２】
0004380842.tif 000003
【図３】
0004380842.tif 000004
【図４】
0004380842.tif 000005
【図５】
0004380842.tif 000006